(57)【要約】  本発明は、周波数オフセット推定可能範囲を拡大し、周波数オフセットを正しく推定することを可能とする装置、方法を提供する。ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大のピーク電力を持つ最大ウィンドウ情報と、ＰＵＳＣＨ（Ｐｈｙｓｉｃａｌ  Ｕｐｌｉｎｋ  Ｓｈａｒｅｄ  Ｃｈａｎｎｅｌ：上り物理共用チャネル）受信信号から得られるチャネル推定値の相関値の位相の符号を組合せて、周波数オフセットを推定する周波数オフセット推定部（２６Ａ）を備える。
2011059068.tif 000002
【特許請求の範囲】
【請求項１】
ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する周波数オフセット推定部を備えたことを特徴とする通信装置。
【請求項２】
前記周波数オフセット推定部は、
周波数オフセット推定可能範囲を分割した第１の周波数区間群の各周波数区間と最大ウィンドウとの対応関係と、
前記周波数オフセット推定可能範囲を分割した第２の周波数区間群の各周波数区間とチャネル推定値の相関値の符号との間の関係と、
に基づき、前記チャネル推定値の相関値の位相から、前記周波数オフセットを推定する、ことを特徴とする請求項１記載の通信装置。
【請求項３】
ＰＲＡＣＨ受信処理部と、ＰＵＳＣＨ受信処理部を備え、
前記ＰＲＡＣＨ受信処理部は、
互いに異なる複数のウィンドウを用いてＰＲＡＣＨ受信信号から最大パス電力をそれぞれ検出する複数の最大パス検出器と、
前記複数の最大パス検出器でそれぞれ検出された最大パス電力のうち最大の電力に対応するウィンドウを最大ウィンドウとして選択する最大パスウィンドウ選択部と、
を少なくとも備え、
前記ＰＵＳＣＨ受信処理部は、
受信リファレンス信号からチャネル推定を行うチャネル推定部と、
前記周波数オフセット推定部と、
前記周波数オフセット推定部で推定された周波数オフセット量を用いて周波数オフセット補償を行う復調部と、
を少なくとも備え、
前記周波数オフセット推定部は、前記チャネル推定部からのチャネル推定値の相関値の位相とその符号情報と、前記最大パスウィンドウ選択部からの最大ウィンドウ情報とを用いて周波数オフセットを推定する、ことを特徴とする請求項１又は２記載の通信装置。
【請求項４】
前記複数のウィンドウが中央、左、右ウィンドウを備え、
前記周波数オフセット推定部は、
ＰＵＳＣＨ受信信号から得られるチャネル推定値の複素相関値Ｒの偏角をａｒｇＲ[ｒａｄｉａｎ]とし、ＴＳ［ｓ］をＰＵＳＣＨサブフレームの前半、後半スロットのリファレンスシンボル間の時間幅とし、
ａｒｇＲが０以上、且つπ未満であり、最大ウィンドウが中央又は右ウィンドウの場合、
2011059068.tif 000039
ａｒｇＲが０以上、且つπ未満であり、最大ウィンドウが左ウィンドウの場合、
2011059068.tif 000040
ａｒｇＲが−π以上、且つ０未満であり、最大ウィンドウが中央又は左ウィンドウの場合、
2011059068.tif 000041
ａｒｇＲが−π以上、且つ０未満であり、最大ウィンドウが右ウィンドウの場合、
2011059068.tif 000042
により、周波数オフセットΔｆを求め、周波数オフセット推定可能範囲を、−１／ＴＳ［Ｈｚ］以上、＋１／ＴＳ［Ｈｚ］未満の範囲とした、ことを特徴とする請求項３記載の通信装置。
【請求項５】
前記中央、左、右ウィンドウにそれぞれ対応した第１乃至第３の最大パス検出器は、
パスサーチ幅をＮｓｅａｒｃｈ、
プリアンブル系列長をＮＺＣ、
左右ウィンドウのピークと中央ウィンドウのピーク間の距離をｄとし、
中央ウィンドウＷｃｅｎｔｅｒ＝｛０，１，・・・，Ｎｓｅａｒｃｈ−１｝、
右ウィンドウＷｒｉｇｈｔ＝｛ｄ−１、（ｄ−１＋１）  ｍｏｄ  ＮＺＣ，・・・，（ｄ−１＋Ｎｓｅａｒｃｈ−１）  ｍｏｄ  ＮＺＣ｝、
左ウィンドウＷｌｅｆｔ＝｛ＮＺＣ−ｄ−１、（ＮＺＣ−ｄ−１＋１）  ｍｏｄ  ＮＺＣ，・・・，（ＮＺＣ−ｄ−１＋Ｎｓｅａｒｃｈ−１）  ｍｏｄ  ＮＺＣ｝
をそれぞれ用いて電力ｐ（ｋ）の２乗の最大値を求める、請求項４記載の通信装置。
【請求項６】
最大ウィンドウの選択時、複数のウィンドウの最大パス電力のうち、所定のスケーリング値で補正した電力に基づき、最大ウィンドウを選択する、ことを特徴とする請求項３乃至５のいずれか１項に記載の通信装置。
【請求項７】
請求項１乃至６のいずれか１項記載の通信装置を備えた無線通信システム。
【請求項８】
請求項１乃至６のいずれか１項記載の通信装置を基地局として備えた無線通信システム。
【請求項９】
ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する、ことを特徴とする周波数オフセット推定方法。
【請求項１０】
周波数オフセット推定可能範囲を分割した第１の周波数区間群の各周波数区間と最大ウィンドウとの対応関係と、
前記周波数オフセット推定可能範囲を分割した第２の周波数区間群の各周波数区間とチャネル推定値の相関値の符号との間の関係と、
に基づき、前記チャネル推定値の相関値の位相から、前記周波数オフセットを推定する、ことを特徴とする請求項９記載の周波数オフセット推定方法。
【請求項１１】
互いに異なる複数のウィンドウを用いてＰＲＡＣＨ受信信号から最大パス電力をそれぞれ検出し、
前記検出された最大パス電力のうち最大の電力に対応するウィンドウを最大ウィンドウとして選択し、
チャネル推定値の相関値の位相とその符号情報と、前記最大パスウィンドウ選択部からの最大ウィンドウ情報とを用いて周波数オフセットを推定する、ことを特徴とする請求項９又は１０記載の周波数オフセット推定方法。
【請求項１２】
前記複数のウィンドウが中央、左、右ウィンドウを有し、
ＰＵＳＣＨ受信信号から得られるチャネル推定値の複素相関値Ｒの偏角をａｒｇＲ[ｒａｄｉａｎ]とし、ＴＳ［ｓ］をＰＵＳＣＨサブフレームの前半、後半スロットのリファレンスシンボル間の時間幅とし、
ａｒｇＲが０以上、且つπ未満であり、最大ウィンドウが中央又は右ウィンドウの場合、
2011059068.tif 000043
ａｒｇＲが０以上、且つπ未満であり、最大ウィンドウが左ウィンドウの場合、
2011059068.tif 000044
ａｒｇＲが−π以上、且つ０未満であり、最大ウィンドウが中央又は左ウィンドウの場合、
2011059068.tif 000045
ａｒｇＲが−π以上、且つ０未満であり、最大ウィンドウが右ウィンドウの場合、
2011059068.tif 000046
により、周波数オフセットΔｆを求め、周波数オフセット推定可能範囲を、−１／ＴＳ［Ｈｚ］以上、＋１／ＴＳ［Ｈｚ］未満の範囲とした、ことを特徴とする請求項１１記載の周波数オフセット推定方法。
【請求項１３】
前記中央、左、右ウィンドウにそれぞれ対応した第１乃至第３の最大パス検出器は、
パスサーチ幅をＮｓｅａｒｃｈ、
プリアンブル系列長をＮＺＣ、
左右ウィンドウのピークと中央ウィンドウのピーク間の距離をｄとし、
中央ウィンドウＷｃｅｎｔｅｒ＝｛０，１，・・・，Ｎｓｅａｒｃｈ−１｝、
右ウィンドウＷｒｉｇｈｔ＝｛ｄ−１、（ｄ−１＋１）  ｍｏｄ  ＮＺＣ，・・・，（ｄ−１＋Ｎｓｅａｒｃｈ−１）  ｍｏｄ  ＮＺＣ｝、
左ウィンドウＷｌｅｆｔ＝｛ＮＺＣ−ｄ−１、（ＮＺＣ−ｄ−１＋１）  ｍｏｄ  ＮＺＣ，・・・，（ＮＺＣ−ｄ−１＋Ｎｓｅａｒｃｈ−１）  ｍｏｄ  ＮＺＣ｝
をそれぞれ用いて電力ｐ（ｋ）の２乗の最大値を求める、請求項１２記載の周波数オフセット推定方法。
【請求項１４】
最大ウィンドウの選択時、複数のウィンドウの最大パス電力のうち、所定のスケーリング値で補正した電力に基づき、最大ウィンドウを選択する、ことを特徴とする請求項１１乃至１３のいずれか１項に記載の周波数オフセット推定方法。
【請求項１５】
請求項９乃至１４のいずれか１項に記載の周波数オフセット推定方法で推定された周波数オフセットを用いて、周波数オフセットの補償を行う、ことを特徴とする周波数オフセット補償方法。
【請求項１６】
ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する処理をコンピュータに実行させるプログラム。
【請求項１７】
前記周波数オフセット推定部は、
周波数オフセット推定可能範囲を分割した第１の周波数区間群の各周波数区間と最大ウィンドウとの対応関係と、
前記周波数オフセット推定可能範囲を分割した第２の周波数区間群の各周波数区間とチャネル推定値の相関値の符号との間の関係と、
に基づき、前記チャネル推定値の相関値の位相から、前記周波数オフセットを推定する、ことを特徴とする請求項１６記載のプログラム。
【請求項１８】
互いに異なる複数のウィンドウを用いてＰＲＡＣＨ受信信号から最大パス電力をそれぞれ検出する処理と、
前記検出された最大パス電力のうち最大の電力に対応するウィンドウを最大ウィンドウとして選択する処理と、
チャネル推定値の相関値の位相とその符号情報と、前記最大パスウィンドウ選択部からの最大ウィンドウ情報とを用いて周波数オフセットを推定する処理と
を前記コンピュータに実行させる請求項１６又は１７記載のプログラム。
【請求項１９】
前記複数のウィンドウが中央、左、右ウィンドウを備え、
ＰＵＳＣＨ受信信号から得られるチャネル推定値の複素相関値Ｒの偏角をａｒｇＲ[ｒａｄｉａｎ]とし、ＴＳ［ｓ］をＰＵＳＣＨサブフレームの前半、後半スロットのリファレンスシンボル間の時間幅とし、
ａｒｇＲが０以上、且つπ未満であり、最大ウィンドウが中央又は右ウィンドウの場合、
2011059068.tif 000047
ａｒｇＲが０以上、且つπ未満であり、最大ウィンドウが左ウィンドウの場合、
2011059068.tif 000048
ａｒｇＲが−π以上、且つ０未満であり、最大ウィンドウが中央又は左ウィンドウの場合、
2011059068.tif 000049
ａｒｇＲが−π以上、且つ０未満であり、最大ウィンドウが右ウィンドウの場合、
2011059068.tif 000050
により、周波数オフセットΔｆを求める処理を前記コンピュータに実行させ、周波数オフセット推定可能範囲を、−１／ＴＳ［Ｈｚ］以上、＋１／ＴＳ［Ｈｚ］未満の範囲とした、請求項１８記載のプログラム。
【請求項２０】
最大ウィンドウの選択時、複数のウィンドウの最大パス電力のうち、所定のスケーリング値で補正した電力に基づき、最大ウィンドウを選択する処理を前記コンピュータに実行させる請求項１８又は１９記載のプログラム。
【発明の詳細な説明】
【技術分野】
【０００１】
（関連出願についての記載）
本発明は、日本国特許出願：特願２００９−２６０４５７号（２００９年１１月１３日出願）の優先権主張に基づくものであり、同出願の全記載内容は引用をもって本書に組み込み記載されているものとする。【０００２】
本発明は無線通信システムに関し、特に、周波数オフセット推定・補償を行う通信装置と周波数オフセット推定方法、無線通信システム並びにプログラムに関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）では、上りリンクアクセス方式として、ＤＦＴ（Ｄｉｓｃｒｅｔｅ  Ｆｏｕｒｉｅｒ  Ｔｒａｎｓｆｏｒｍ）−ｓｐｒｅａｄ−ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が採用されている。一般に、ＤＦＴ−ｓｐｒｅａｄ−ＯＦＤＭでは、端末の移動や発振機の周波数ずれ等により、送受信機間でキャリア周波数差（以下、「周波数オフセット」という）が生じる。周波数オフセットが生じると、信号の伝送特性が劣化する。周波数オフセットを防ぐため、一般に受信側では周波数オフセット量の推定、及び周波数オフセットの補償が行なわれる。【０００４】
以下では、
・３ＧＰＰ  ＬＴＥにおける初期アクセス手順、
・一般的な送受信処理
を説明し、つづいて
・周波数オフセット推定・補償とその課題について説明する。【０００５】
初めに、初期アクセス手順の概要を説明する。ＬＴＥでは、端末がアイドル状態から接続状態に移行する際等に、上りリンクの同期を確立するための手段として、ランダムアクセス手順が用いられる。図１は、ランダムアクセス手順を示す図である。なお、図１は、非特許文献１の第５３頁の図（Ｆｉｇｕｒｅ  １０．１．５．１−１  Ｃｏｎｔｅｎｔｉｏｎ  Ｂａｓｅｄ  Ｒａｎｄｏｍ  Ａｃｃｅｓｓ  Ｐｒｏｃｅｄｕｒｅ）に対応する。【０００６】
図１に示すように、ランダムアクセス手順は、次の４つのステップから構成される。【０００７】
＜ステップ１＞
ランダムアクセスプリアンブル（上りリンク）（Ｒａｎｄｏｍ  Ａｃｃｅｓｓ  Ｐｒｅａｍｂｌｅ  ｏｎ  ＲＡＣＨ  ｉｎ  ｕｐｌｉｎｋ）【０００８】
＜ステップ２＞
ランダムアクセスレスポンス（下りリンク）（Ｒａｎｄｏｍ  Ａｃｃｅｓｓ  Ｒｅｓｐｏｎｓｅ  ｇｅｎｅｒａｔｅｄ  ｂｙ  ＭＡＣ  ｏｎ  ＤＬ−ＳＣＨ（Ｄｏｗｎ  Ｌｉｎｋ  Ｓｈａｒｅｄ  Ｃｈａｎｎｅｌ））  【０００９】
＜ステップ３＞
初回スケジュールデータアクセス（Ｆｉｒｓｔ  Ｓｃｈｅｄｕｌｅｄ  ＵＬ  Ｔｒａｎｓｉｍｉｓｓｉｏｎ  ｏｎ  ＵＬ−ＳＣＨ（Ｕｐ  Ｌｉｎｋ  Ｓｈａｒｅｄ  Ｃｈａｎｎｅｌ））  （上りリンク）【００１０】
＜ステップ４＞
データアクセス（下りリンク）（Ｃｏｎｔｅｎｔｉｏｎ  Ｒｅｓｏｌｕｔｉｏｎ  ｏｎＤＬ）  【００１１】
以下に、上りリンクの動作を中心にランダムアクセス手順の詳細、および基地局における一般的な受信処理動作を説明する。【００１２】
図２に、ＬＴＥ上りリンクにおいて端末の初期アクセス等に用いられるＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）のプリアンブルフォーマット（ランダムアクセスプリアンブルフォーマット）を示す。図２は、非特許文献２の第３３頁の図（Ｆｉｇｕｒｅ  ５．７．１−１  Ｒａｎｄｏｍ  ａｃｃｅｓｓ  ｐｒｅａｍｂｌｅ  ｆｏｒｍａｔ）に対応する。ランダムアクセスプリアンブルは、０．１ｍｓ長（＝ＴＣＰ）のＣＰ（Ｃｙｃｌｉｃ  Ｐｒｅｆｉｘ）部と、０．８ｍｓ長（ＴＳＥＱ）のＰｒｅａｍｂｌｅ  Ｓｅｑｕｅｎｃｅ部から構成されている。【００１３】
ＬＴＥでは、図１のステップ１のために、図２のランダムアクセスプリアンブル用の周波数・時間リソースがあらかじめ用意されており、端末は、アイドル状態から接続状態に移行する際、指定されたランダムアクセス用の周波数・時間リソースを用いて、ステップ１のランダムアクセスプリアンブル送信を行う。【００１４】
図４は、基地局側の受信機のＰＲＡＣＨ受信処理部の一般的な構成を示す。図４を参照すると、ＰＲＡＣＨ受信処理部は、サイクリックプレフィックス除去部１１、ＤＦＴ（Ｄｉｓｃｒｅｔｅ  Ｆｏｕｒｉｅｒ  Ｔｒａｎｓｆｏｒｍ：離散フーリエ変換）部１２、サブキャリアデマッピング部１３、プリアンブル信号乗算部１４、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）部１５、最大パス検出部１６を備えている。【００１５】
図４の受信処理部では、ランダムアクセス用周波数・時間リソースで受信した受信信号に対して、サイクリックプレフィックス除去部１１においてサイクリックプレフィックスが除去される。【００１６】
次にサイクリックプレフィックス除去された信号に対し、ＤＦＴ部１２においてＤＦＴが施される。ＤＦＴ後信号（周波数領域）に対し、サブキャリアデマッピング部１３において、サブキャリアデマッピングが行われ、指定したランダムアクセス用周波数リソースに該当する信号が取り出される。【００１７】
サブキャリアデマッピング部１３でサブキャリアデマッピングされた信号は、プリアンブル信号乗算部１４において送信プリアンブル信号の複素共役と乗算される。【００１８】
プリアンブル信号乗算部１４からの出力信号に対して、ＩＤＦＴ部１５でＩＤＦＴが行なわれ、最大パス検出部１６において、ＩＤＦＴ後信号（時間領域）のサンプル当たりの電力を算出する（算出されたサンプル毎の電力を「ＰＲＡＣＨの相関値」と呼ぶ）。【００１９】
最大パス検出部１６は、ＰＲＡＣＨの相関値のピーク（最大）電力を求め、ピーク（最大）電力があらかじめ設定されている閾値以上であれば、端末がプリアンブルを送信したと見なし、基地局は図１のステップ２のランダムアクセスレスポンスを下りリンクで送信する。【００２０】
不図示の端末は、基地局からランダムアクセスレスポンス（図１のステップ２）を受信すると、初回スケジュールデータアクセス（図１のステップ３）において、ＰＵＳＣＨ（Ｐｈｙｓｉｃａｌ  Ｕｐｌｉｎｋ  Ｓｈａｒｅｄ  Ｃｈａｎｎｅｌ：物理上りリンク共用チャネル）を用いてデータ送信をする。【００２１】
図３に、ＰＵＳＣＨのサブフレーム（Ｓｕｂｆｒａｍｅ）のフォーマットを示す。１サブフレームの時間長は１ｍｓであり、１サブフレームは、１４のＤＦＴ−Ｓｐｒｅａｄ−ＯＦＤＭシンボルとそれに付随するＣＰ（Ｃｙｃｌｉｃ  Ｐｒｅｆｉｘ：サイクリックプレフィックス）から構成される。【００２２】
１４シンボルの内、０番目（左端のシンボル）から数えて３番目、１０番目のシンボルは、リファレンスシンボル（Ｒｅｆｅｒｅｎｃｅ  Ｓｙｍｂｏｌ）（ＲＳで示す）と呼ばれる。リファレンスシンボルは送受両側で既知の系列が送信され、受信側におけるデータ復調のためのチャネル推定や周波数オフセット推定に用いられる。またそれ以外の０、１、２、４、５、６、７、８、９、１１、１２、１３番目の１２個のシンボル（Ｄで示す）はデータ送信に用いられる。サブフレームの前半スロット（Ｓｌｏｔ＃０）は０．５ｍｓ、後半スロット（Ｓｌｏｔ＃１）は０．５ｍｓであり、前半、後半スロットのリファレンスシンボル（ＲＳ）間の時間幅は０．５ｍｓとされる。【００２３】
基地局が、図１のステップ３の上り信号を受信すると、図１のステップ４においてそれに対する下りデータ送信を実行する。【００２４】
次に、図１のステップ３におけるＰＵＳＣＨの一般的な受信処理を説明する。図５に、基地局側受信機のＰＵＳＣＨ受信処理部の一般的な構成を示す。受信処理部は、サイクリックプレフィックス除去部２１、ＤＦＴ部２２−１、２２−２、サブキャリアデマッピング部２３−１、２３−２、リファレンス信号乗算部２４、チャネル推定部２５、周波数オフセット推定部２６、データ等化部２７、復調部２８を備えている。【００２５】
ＰＵＳＣＨ受信信号は、サイクリックプレフィックス除去部２１においてサイクリックプレフィックスが除去され、データ信号とリファレンスシンボルに分割される。【００２６】
分割された受信データ信号、受信リファレンスシンボルは、それぞれＤＦＴ部２２−１、２２−２においてＤＦＴが施され、ＤＦＴ後の信号（周波数領域）がそれぞれサブキャリアデマッピング部２３−１、２３−２においてサブキャリアデマッピングされ、当該ユーザに割り当てられた周波数領域の信号が取り出される。【００２７】
サブキャリアデマッピングされたリファレンスシンボルは、リファレンス信号乗算部２４において送信リファレンスシンボルの複素共役と乗算され、その後、チャネル推定部２５においてチャネル推定値を得る。【００２８】
得られたチャネル推定値を用いて、周波数オフセット推定部２６において周波数オフセット量が推定される。【００２９】
次に、得られたチャネル推定値とサブキャリアデマッピング後のデータ信号がデータ等化部２７に入力され、データ信号の周波数領域等化が実行される。【００３０】
最後に、データ等化部２７で周波数領域等化された信号は、復調部２８において時間領域信号に変換され、更に、復調部２８では、周波数オフセット推定部２６で推定された周波数オフセット量を用いて、時間領域信号に変換された信号に対して、周波数オフセット補償が行われる。【００３１】
時間領域信号に変換された信号に対して行われる、一般的な、周波数オフセット補償の例を次式（１）に示す。【００３２】
2011059068.tif 000003
（１）【００３３】
式（１）において、
ｓｄｅｍ（ｋ）（ｋ＝０、１、２、…）は、復調部２８において時間領域信号に変換された複素信号（周波数オフセット補正前）を表す。【００３４】
ｓｄｅｍ、ｃｏｍｐ（ｋ）（ｋ＝０、１、２、…）は、復調部２８において時間領域信号に変換された複素信号に対し周波数オフセット補正を施した信号（周波数オフセット補正後）を表す。【００３５】
Δｆ［Ｈｚ］は、周波数オフセット推定部２６で推定された周波数オフセット推定値を表す。【００３６】
ΔＴ［ｓ］は、復調部２８において時間領域に変換された復調信号の１サンプル間の時間幅を表す。【００３７】
初期アクセス時の周波数オフセット量はＰＵＳＣＨ信号の前半、及び後半ｓｌｏｔのリファレンスシンボル（ＲＳ）から得られる２スロット分の複素チャネル推定値間の相関を取り、更に、その複素相関値の偏角を取ることにより得られる。以下、この処理について詳しく説明する。【００３８】
まず、ユーザに割り当てられたサブキャリア毎の複素チャネル推定値
Ｈ（ｓ、ｋ）
（２）
が得られているものと仮定する。【００３９】
式（２）において、
ｓは、１サブフレーム内のスロット番号を表しており、ｓ＝０、１（０：前半ｓｌｏｔ、１：後半ｓｌｏｔ）である（図３参照）。
ｋはサブキャリア番号であり、ｋ＝０、１、…、Ｎ−１（ただし、Ｎは当該ユーザへの割当サブキャリア数）である。【００４０】
周波数オフセット量Δｆ［Ｈｚ］は、２スロット分のチャネル推定値を用いて、次式（３）、（４）のように推定される。【００４１】
ＰＵＳＣＨ受信信号から得る２スロット分のチャネル推定値（Ｈ（ｓ＝０、ｋ）とＨ（ｓ＝１、ｋ））間の相関値Ｒを次式（３）にしたがって算出する。【００４２】
2011059068.tif 000004
（３）【００４３】
式（３）において、
＊は複素共役を表す。
2011059068.tif 000005
はｋ＝０からＮ−１（Ｎは当該ユーザへの割当サブキャリア数）のＨ（ｓ＝０、ｋ）＊Ｈ（ｓ＝１、ｋ）の総和を表す。【００４４】
式（３）の相関値Ｒから、周波数オフセット推定値Δｆ［Ｈｚ］を次式（４）によって算出する。【００４５】
2011059068.tif 000006
（４）【００４６】
式（４）において、
Ｔｓ［ｓ］はＰＵＳＣＨの前半・後半ｓｌｏｔの２つのリファレンスシンボル（ＲＳ）間の時間幅［単位：ｓ（秒）］である。【００４７】
ａｒｇＲは、チャネル推定値の複素相関値Ｒの偏角［単位：ｒａｄｉａｎ（ラジアン）］を表し、その範囲は−π〜＋πである。【００４８】
式（４）を用いた周波数オフセット量Δｆの推定には、ＰＵＳＣＨから得られるチャネル推定値の複素相関値Ｒの偏角ａｒｇＲが、
2011059068.tif 000007
（５）
となるという事実を用いている。【００４９】
ＬＴＥでは、ＴＳ＝０．５［ｍｓ］（＝０．５×１０−３）と規定されているので（図３参照）、上式（４）は次式（６）のようになる。【００５０】
2011059068.tif 000008
（６）【００５１】
ここで、上述の推定方法を用いた場合の周波数オフセットの推定可能範囲［Ｈｚ］は、相関を取る２つのスロット（前半、後半スロット）のリファレンスシンボル（ＲＳ）間の時間幅Ｔｓ［秒］から次式（７）で一意に決まる。なお、式（７）の関係式は、式（４）のΔｆ＝（ａｒｇＲ）／（２πＴＳ）において、ａｒｇＲが−π≦ａｒｇＲ＜πの関係にあることから導出される。【００５２】
2011059068.tif 000009
（７）【００５３】
ＬＴＥのＰＵＳＣＨサブフレームフォーマットの規定（Ｔｓ＝０．５［ｍｓ］（＝０．５×１０−３））では、周波数オフセットの推定可能範囲は、式（７）より、−１０００Ｈｚ〜１０００Ｈｚの範囲となる。【００５４】
なお、特許文献１には、ＬＴＥ通信システムの基地局装置と端末装置間のエアーインタフェース上の制御信号、データ信号（ＰＲＡＣＨでプリアンブル転送、ＰＵＳＣＨのフレームに含まれるリファレンス信号）、端末装置、基地局装置の構成について記載されている。また特許文献２には、キャリア周波数オフセットがある環境において、プリアンブルコードを早く正しく検出する装置、方法（ターゲット基地局のプリアンブルインデックスを検出しターゲットセルを選択し、ターゲット基地局に関する整数キャリア周波数オフセットを推定する）が開示されている。特許文献３には、第１、第２のプリアンブルを用いて受信信号シーケンスの第１の周波数オフセットを決定する構成等が開示されている。
【先行技術文献】
【特許文献】
【００５５】
【特許文献１】特開２００８−１３６１７２号公報
【特許文献２】特開２００８−２３６７４４号公報
【特許文献３】特表２００２−５１８８８０号公報
【非特許文献】
【００５６】
【非特許文献１】３ＧＰＰ  ＴＳ  ３６．３００  Ｖ８．９．０（２００９−０６）１０．１．５  Ｒａｎｄｏｍ  Ａｃｃｅｓｓ  Ｐｒｏｃｅｄｕｒｅ
【非特許文献２】３ＧＰＰ  ＴＳ  ３６．２１１Ｖ８．７．０  （２００９−０５）  ５．７  Ｐｈｙｓｉｃａｌ  Ｒａｎｄｏｍ  Ａｃｃｅｓｓ  Ｃｈａｎｎｅｌ
【非特許文献３】３ＧＰＰ  ＴＳ３６．１０４  Ｖ８．９．０  （２００９−０６）  Ｂ．３  Ｈｉｇｈ  Ｓｐｅｅｄ  Ｔｒａｉｎ  Ｃｏｎｄｉｔｉｏｎ
【発明の概要】
【発明が解決しようとする課題】
【００５７】
以下に本発明による分析を与える。非特許文献３によると、ＬＴＥでは、基地局において、−１３４０〜＋１３４０Ｈｚの範囲の周波数オフセットを補償する必要がある。【００５８】
これに対し、上記した初期アクセス時の周波数オフセットの推定では、周波数オフセット推定可能範囲は、−１０００Ｈｚ〜１０００Ｈｚの範囲となる。すなわち、非特許文献３で規定される周波数オフセットの内、−１０００〜−１３４０Ｈｚ、及び１０００〜１３４０Ｈｚの範囲では周波数オフセットを正しく推定することができない、という問題がある。【００５９】
例えば、周波数オフセットが＋１１００Ｈｚの場合、２つのリファレンスシンボル間の相関値Ｒの位相ａｒｇＲ（−π≦ａｒｇＲ＜π）は、次式（８）の通り、１．１π（⇒−０．９π）［ｒａｄｉａｎ］となる。【００６０】
式（６）を用いると、次式（９）に示すように、周波数オフセットΔｆは−９００Ｈｚと推定されてしまう。【００６１】
2011059068.tif 000010
（８）【００６２】
2011059068.tif 000011
（９）【００６３】
すなわち、周波数オフセットを正しく推定することができない。−１０００〜−１３４０Ｈｚの範囲についても同様である。【００６４】
したがって、本発明の目的は、周波数オフセット推定可能範囲を拡大し周波数オフセットを正しく推定可能とする方法と装置、システム、並びにプログラムを提供することにある。
【課題を解決するための手段】
【００６５】
本発明の第１の視点によれば、ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する周波数オフセット推定部を備えた通信装置が提供される。【００６６】
本発明の第２の視点によれば、ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する周波数オフセット推定方法が提供される。【００６７】
本発明の第３の視点によれば、ＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）受信信号から得られる最大ピーク電力を持つ最大ウィンドウ情報と、
ＰＵＳＣＨ（Ｐｈｙｓｉｃａｌ  Ｕｐｌｉｎｋ  Ｓｈａｒｅｄ  Ｃｈａｎｎｅｌ：物理上り共用チャネル）受信信号から得られるチャネル推定値の相関値の位相の符号を組合せて、周波数オフセットを推定する処理をコンピュータ（プロセッサ）に実行させる周波数オフセット推定プログラムが提供される。
【発明の効果】
【００６８】
本発明によれば、周波数オフセット推定可能範囲を拡大し、周波数オフセットを正しく推定することができる。
【図面の簡単な説明】
【００６９】
【図１】ランダムアクセス手順を示す図である。
【図２】ＰＲＡＣＨプリアンブルフォーマットを示す図である。
【図３】ＰＵＳＣＨサブフレームフォーマットを示す図である。
【図４】ＰＲＡＣＨ受信機の構成を示す図である。
【図５】ＰＵＳＣＨ受信機の構成を示す図である。
【図６】ＰＲＡＣＨ相関値  Δｆ＝０［Ｈｚ］を示す図である。
【図７】ＰＲＡＣＨ相関値  Δｆ＝３００［Ｈｚ］を示す図である。
【図８】ＰＲＡＣＨ相関値  Δｆ＝６２５［Ｈｚ］を示す図である。
【図９】ＰＲＡＣＨ相関値  Δｆ＝１１００［Ｈｚ］を示す図である。
【図１０】ＰＲＡＣＨ相関値  −３００［Ｈｚ］を示す図である。
【図１１】ＰＲＡＣＨ相関値  Δｆ＝−６２５［Ｈｚ］を示す図である。
【図１２】ＰＲＡＣＨ相関値  Δｆ＝−１１００［Ｈｚ］を示す図である。
【図１３】中央・左右ウィンドウのピーク電力の関係を示す図である。
【図１４】本発明の一実施形態のシングルキャリア伝送システムの構成を示す図である。
【図１５】本発明の一実施形態のシングルキャリア伝送システム送信機（ＰＲＡＣＨ）の構成を示す図である。
【図１６】本発明の一実施形態のシングルキャリア伝送システム送信機（ＰＵＳＣＨ）の構成を示す図である。
【図１７】本発明の一実施形態のシングルキャリア伝送システム受信機（ＰＲＡＣＨ）の構成を示す図である。
【図１８】本発明の一実施形態のシングルキャリア伝送システム受信機（ＰＵＳＣＨ）の構成を示す図である。
【図１９】誤検出確率を示す図である。
【発明を実施するための形態】
【００７０】
本発明の好ましい態様について説明する。
【００７１】
本発明の好ましい態様の一つは、前記第１の視点で与えられる。
【００７２】
本発明の第２の態様においては、前記周波数オフセット推定部は、周波数オフセット推定可能範囲を分割した第１の周波数区間群の各周波数区間と最大ウィンドウとの対応関係と、前記周波数オフセット推定可能範囲を分割した第２の周波数区間群の各周波数区間とチャネル推定値の相関値の符号との間の関係と、に基づき、前記チャネル推定値の相関値の位相から、前記周波数オフセットを推定する。
【００７３】
本発明の第３の態様においては、ＰＲＡＣＨ受信処理部と、ＰＵＳＣＨ受信処理部を備えている。前記ＰＲＡＣＨ受信処理部は、互いに異なる複数のウィンドウを用いてＰＲＡＣＨ受信信号から最大パス電力をそれぞれ検出する複数の最大パス検出器と、前記複数の最大パス検出器でそれぞれ検出された最大パス電力のうち最大の電力に対応するウィンドウを最大ウィンドウとして選択する最大パスウィンドウ選択部と、を少なくとも備えている。前記ＰＵＳＣＨ受信処理部は、受信リファレンス信号からチャネル推定を行うチャネル推定部と、前記周波数オフセット推定部と、前記周波数オフセット推定部で推定された周波数オフセット量を用いて周波数オフセット補償を行う復調部と、を少なくとも備え、前記周波数オフセット推定部は、前記チャネル推定部からのチャネル推定値の相関値の位相とその符号情報と、前記最大パスウィンドウ選択部からの最大ウィンドウ情報とを用いて周波数オフセットを推定する。
【００７４】
本発明の第４の態様においては、前記複数のウィンドウが中央、左、右ウィンドウを備え、前記周波数オフセット推定部は、ＰＵＳＣＨ受信信号から得られるチャネル推定値の複素相関値Ｒの偏角をａｒｇＲ[ｒａｄｉａｎ]とし、ＴＳ［ｓ］をＰＵＳＣＨサブフレームの前半、後半スロットのリファレンスシンボル間の時間幅とし、ａｒｇＲが０以上、且つπ未満であり、最大ウィンドウが中央又は右ウィンドウの場合、
2011059068.tif 000012
ａｒｇＲが０以上、且つπ未満であり、最大ウィンドウが左ウィンドウの場合、
2011059068.tif 000013
ａｒｇＲが−π以上、且つ０未満であり、最大ウィンドウが中央又は左ウィンドウの場合、
2011059068.tif 000014
ａｒｇＲが−π以上、且つ０未満であり、最大ウィンドウが右ウィンドウの場合、
2011059068.tif 000015
により、周波数オフセットΔｆを求め、周波数オフセット推定可能範囲を、−１／ＴＳ［Ｈｚ］以上、＋１／ＴＳ［Ｈｚ］未満の範囲とする。
【００７５】
本発明の第５の態様においては、前記中央、左、右ウィンドウにそれぞれ対応した第１乃至第３の最大パス検出器は、パスサーチ幅をＮｓｅａｒｃｈ、
プリアンブル系列長をＮＺＣ、
左右ウィンドウのピークと中央ウィンドウのピーク間の距離をｄとし、
中央ウィンドウＷｃｅｎｔｅｒ＝｛０，１，・・・，Ｎｓｅａｒｃｈ−１｝、
右ウィンドウＷｒｉｇｈｔ＝｛ｄ−１、（ｄ−１＋１）  ｍｏｄ  ＮＺＣ，・・・，（ｄ−１＋Ｎｓｅａｒｃｈ−１）  ｍｏｄ  ＮＺＣ｝、
左ウィンドウＷｌｅｆｔ＝｛ＮＺＣ−ｄ−１、（ＮＺＣ−ｄ−１＋１）  ｍｏｄ  ＮＺＣ，・・・，（ＮＺＣ−ｄ−１＋Ｎｓｅａｒｃｈ−１）  ｍｏｄ  ＮＺＣ｝
をそれぞれ用いて電力ｐ（ｋ）の２乗の最大値を求める。
【００７６】
本発明の第６の態様においては、最大ウィンドウの選択時、複数のウィンドウの最大パス電力のうち、所定のスケーリング値で補正した電力に基づき、最大ウィンドウを選択する。
【００７７】
本発明に係る方法は、図１のステップ１のＰＲＡＣＨ受信信号から得られる相関値のピーク電力と、図１のステップ３のＰＵＳＣＨ受信信号から得られるチャネル推定値の相関値の両方を組合せて、周波数オフセット推定を行う。なお、関連技術では、図１のステップ３のＰＵＳＣＨ受信信号のみから推定している。
【００７８】
以下に説明するように、本発明によれば、周波数オフセットΔｆの推定可能範囲は、関連技術の−１０００Ｈｚ〜１０００Ｈｚから、−２０００Ｈｚ〜２０００Ｈｚの範囲に拡大することが可能となる。
【００７９】
図６、図７、図８、図９、図１０、図１１、図１２に、周波数オフセット量Δｆ＝０［Ｈｚ］、Δｆ＝３００［Ｈｚ］、Δｆ＝６２５［Ｈｚ］、Δｆ＝１１００［Ｈｚ］、Δｆ＝−３００［Ｈｚ］、Δｆ＝−６２５［Ｈｚ］、Δｆ＝−１１００［Ｈｚ］におけるＰＲＡＣＨ受信信号の相関値（ＰＲＡＣＨ相関値）をそれぞれ示す。ただし、ここでは、１パスの無線伝送路を仮定している。図６乃至図１２において横軸はｋ（ｋ＝０〜Ｎｚｃ−１；Ｎｚｃは後述されるＰＲＡＣＨのプリアンブル系列長）、縦軸は電力｜ｐ（ｋ）｜２［ｄＢ］を表している。
【００８０】
周波数オフセットが存在しない場合（Δｆ＝０［Ｈｚ］）、図６のように、中央ウィンドウ（ｃｅｎｔｅｒ＿ｗｉｎｄｏｗ）のｋ＝０で鋭いピークが立ち、且つ、中央ウィンドウに対する左右のウィンドウ（ｒｉｇｈｔ＿ｗｉｎｄｏｗ、ｌｅｆｔ＿ｗｉｎｄｏｗ）では鋭いピークが存在しない。
【００８１】
それに対し、周波数オフセットが存在する場合には、図７及び図１０（ＰＲＡＣＨ相関値Δｆ＝±３００［Ｈｚ］）、図８及び図１１（ＰＲＡＣＨ相関値Δｆ＝±６２５［Ｈｚ］）、図９及び図１２（ＰＲＡＣＨ相関値Δｆ＝±１１００［Ｈｚ］）から、左右ウィンドウにもピークが立つことが分かる。
【００８２】
ここで、
ｋ＝０を含むウィンドウを中央ウィンドウ（ｃｅｎｔｅｒ＿ｗｉｎｄｏｗ）、
ｋ＝ｕ−１を含むウィンドウを右ウィンドウ（ｒｉｇｈｔ＿ｗｉｎｄｏｗ）、
ｋ＝Ｎｚｃ−ｕ−１を含むウィンドウを左ウィンドウ（ｌｅｆｔ＿ｗｉｎｄｏｗ）
と定義していることに注意されたい。これは、ＰＲＡＣＨプリアンブルに用いられる、Ｚａｄｏｆｆ−Ｃｈｕ系列特有の性質である。
【００８３】
この左右のウィンドウのピークと、中央ウィンドウのピークとの距離（時間差）ｄは、任意のｕに対して、次式（１０）により一意に決定される。
【００８４】
2011059068.tif 000016
（１０）
【００８５】
式（１０）において、
ｕは、非特許文献２の第３９頁、５．７．２  Ｐｒｅａｍｂｌｅ  Ｓｅｑｕｅｎｃｅ  ＧｅｎｅｒａｔｉｏｎのＰＲＡＣＨプリアンブルの定義式：ｘｕ（ｎ）内のパラメタ“ｕ”（Ｐｈｙｓｉｃａｌ  Ｒｏｏｔ  Ｓｅｑｕｅｎｃｅ  Ｉｎｄｅｘ）を表す。
【００８６】
Ｎｚｃは、非特許文献２の第４０頁のＴａｂｌｅ  ５．７．２−１  Ｒａｎｄｏｍ  ａｃｃｅｓｓ  ｐｒｅａｍｂｌｅ  ｓｅｑｕｅｎｃｅ  ｌｅｎｇｔｈに規定されているＰＲＡＣＨのプリアンブル系列長（＝８３９、又は１３９）である。
【００８７】
ｕ−１は、ｍｏｄ  Ｎｚｃの条件下でのｕの乗法の逆元であり、ｕに乗算した結果が１（ｕ・ｕ−１＝ｕ−１・ｕ≡１  ｍｏｄ  Ｎｚｃ）となる１以上Ｎｚｃ未満の数である。
【００８８】
図６乃至図１２のΔｆ＝０［Ｈｚ］、Δｆ＝±３００［Ｈｚ］、Δｆ＝±６２５［Ｈｚ］、Δｆ＝±１１００［Ｈｚ］におけるＰＲＡＣＨ相関値は、ｕ＝３、Ｎｃｓ＝８３９の例であり、この場合、ｕ−１＝２８０となる（３×２８０＝８４０≡１  ｍｏｄ  ８３９）。
【００８９】
即ち、この例で、周波数オフセットが存在する場合（Δｆ≠０）、
中央ウィンドウ（ｃｅｎｔｅｒ＿ｗｉｎｄｏｗ）のｋ＝０におけるピークと共に、
右ウィンドウ（ｒｉｇｈｔ＿ｗｉｎｄｏｗ）のｋ＝ｕ−１（＝２８０）、及び、
左ウィンドウ（ｌｅｆｔ＿ｗｉｎｄｏｗ）のｋ＝Ｎｚｃ−ｕ−１（＝５５９）
においても、周波数オフセットの影響を受けてピークが立つことを示している。
【００９０】
図６乃至図１２のΔｆ＝０［Ｈｚ］、Δｆ＝±３００［Ｈｚ］、Δｆ＝±６２５［Ｈｚ］、Δｆ＝±１１００［Ｈｚ］におけるＰＲＡＣＨ相関値から、ＰＲＡＣＨ受信信号から得られる相関値の各ウィンドウにおけるピークの大きさは、周波数オフセット量に大きく依存することが分かる。
【００９１】
例えば図６の周波数オフセット無しΔｆ＝０［Ｈｚ］の場合、ｋ＝０の点のみで鋭いピークを示すのに対し、他の周波数オフセット、例えば図７、図１０のΔｆ＝±３００［Ｈｚ］の場合、右ウィンドウ（ｒｉｇｈｔ＿ｗｉｎｄｏｗ）のｋ＝ｕ−１（この例ではｋ＝２８０）、左ウィンドウ（ｌｅｆｔ＿ｗｉｎｄｏｗ）のｋ＝８３９−ｕ−１（この例ではｋ＝５５９）にも、中央ウィンドウ（ｃｅｎｔｅｒ＿ｗｉｎｄｏｗ）よりも小さい電力のピークが見られる。
【００９２】
図８の周波数オフセットΔｆ＝６２５［Ｈｚ］の場合、中央ウィンドウ（ｃｅｎｔｅｒ＿ｗｉｎｄｏｗ）内のピーク電力が右ウィンドウ（ｒｉｇｈｔ＿ｗｉｎｄｏｗ）内のピーク電力と一致し、図９の周波数オフセットΔｆ＝１１００［Ｈｚ］では、右ウィンドウ（ｒｉｇｈｔ＿ｗｉｎｄｏｗ）内のピーク電力が中央ウィンドウ（ｃｅｎｔｅｒ＿ｗｉｎｄｏｗ）内のピーク電力を超える。
【００９３】
また、図１１の周波数オフセットΔｆ＝−６２５［Ｈｚ］の場合、中央ウィンドウ（ｃｅｎｔｅｒ＿ｗｉｎｄｏｗ）内のピーク電力が左ウィンドウ（ｌｅｆｔ＿ｗｉｎｄｏｗ）内のピーク電力と一致し、図１２の周波数オフセットΔｆ＝−１１００［Ｈｚ］では、左ウィンドウ（ｌｅｆｔ＿ｗｉｎｄｏｗ）内のピーク電力が中央ウィンドウ（ｃｅｎｔｅｒ＿ｗｉｎｄｏｗ）内のピーク電力を超える。
【００９４】
図１３は、周波数オフセットと中央、左右のウィンドウのピーク電力との関係を示す図である。なお、図１３の横軸は周波数オフセット（Ｆｒｅｑｕｅｎｃｙ  Ｏｆｆｓｅｔ：Δｆ［Ｈｚ］）、縦軸はピーク電力［ｄＢ］である。△は中央ウィンドウ（ｃｅｎｔｅｒ＿ｗｉｎｄｏｗ）、□は右ウィンドウ（ｒｉｇｈｔ＿ｗｉｎｄｏｗ）、Ｘは左ウィンドウ（ｌｅｆｔ＿ｗｉｎｄｏｗ）のピーク電力を示している。
【００９５】
図１３から、各周波数オフセットの範囲に応じて、次の関係（Ａ１）〜（Ａ３）が成り立つことが分かる。この関係は、パラメタｕ（Ｐｈｙｓｉｃａｌ  Ｒｏｏｔ  Ｓｅｑｕｅｎｃｅ  Ｉｎｄｅｘ）に依存しないことに注意する。
【００９６】
（Ａ１）  −２０００Ｈｚ≦周波数オフセット≦−６２５Ｈｚの範囲では、
中央ウィンドウのピーク電力＜左ウィンドウのピーク電力、且つ、右ウィンドウのピーク電力＜左ウィンドウのピーク電力が成り立つ。  
よって、左ウィンドウのピーク電力が最大となる。
【００９７】
（Ａ２）  −６２５Ｈｚ≦周波数オフセット≦６２５Ｈｚの範囲では、
中央ウィンドウのピーク電力＞左ウィンドウのピーク電力、且つ、中央ウィンドウのピーク電力＞右ウィンドウのピーク電力が成り立つ。
よって、中央ウィンドウのピーク電力が最大となる。
【００９８】
（Ａ３）  ６２５Ｈｚ≦周波数オフセット≦２０００Ｈｚの範囲では、  
中央ウィンドウのピーク電力＜右ウィンドウのピーク電力、且つ、左ウィンドウのピーク電力＜右ウィンドウのピーク電力が成り立つ。
よって、右ウィンドウのピーク電力が最大となる。
【００９９】
また、ＰＵＳＣＨ受信信号から得るチャネル推定値の相関値Ｒの位相ａｒｇＲ［ｒａｄｉａｎ］は、次式（１１）によって算出される。
【０１００】
2011059068.tif 000017
（１１）
【０１０１】
このため、周波数オフセット（Ｆｒｅｑｕｅｎｃｙ  Ｏｆｆｓｅｔ：Δｆ［Ｈｚ］）が−２０００Ｈｚ〜２０００Ｈｚの範囲で、ＰＵＳＣＨチャネル推定値の相関値Ｒの位相（ａｒｇＲ  ：−π〜π［ｒａｄｉａｎ］）の符号については、次の関係（Ｂ１）〜（Ｂ３）が成り立つ。
【０１０２】
（Ｂ１）  −２０００Ｈｚ≦周波数オフセット≦−１０００Ｈｚの範囲では、
ＰＵＳＣＨチャネル推定値の相関値Ｒの位相（ａｒｇＲ）の符号：＋
【０１０３】
（Ｂ２）  −１０００Ｈｚ≦周波数オフセット≦０Ｈｚの範囲では、
ＰＵＳＣＨチャネル推定値の相関値Ｒの位相（ａｒｇＲ）の符号：−
【０１０４】
（Ｂ３）  ０Ｈｚ≦周波数オフセット≦１０００Ｈｚの範囲では、
ＰＵＳＣＨチャネル推定値の相関値Ｒの位相（ａｒｇＲ）の符号：＋
【０１０５】
（Ｂ４）  １０００Ｈｚ≦周波数オフセット≦２０００Ｈｚの範囲では、
ＰＵＳＣＨチャネル推定値の相関値Ｒの位相（ａｒｇＲ）の符号：−
【０１０６】
（Ａ１）乃至（Ａ３）、（Ｂ１乃至Ｂ４）で述べた２つの性質、すなわち、
・ＰＲＡＣＨから得られる相関値の最大ピークを持つウィンドウ情報（中央／右／左ウィンドウと、
・ＰＵＳＣＨから得られるチャネル推定値の相関値の位相の符号と、
を組合せて、次式（１２）〜（１５）のように、周波数オフセットΔｆ［Ｈｚ］を推定することにより、周波数オフセット推定可能範囲を、ＬＴＥの場合（ＴＳ＝０．５×１０−３［ｓ］）、−１０００Ｈｚ〜１０００Ｈｚの範囲から、−２０００Ｈｚ〜２０００Ｈｚの範囲に拡大することが可能となる。
【０１０７】
2011059068.tif 000018
（１２）
【０１０８】
2011059068.tif 000019
（１３）
【０１０９】
2011059068.tif 000020
（１４）
【０１１０】
2011059068.tif 000021
（１５）
【０１１１】
式（１２）乃至（１５）において、
Δｆ［Ｈｚ］は周波数オフセットの推定値である。
【０１１２】
ＭａｘＷｉｎｄｏｗ＝ｒｉｇｈｔは、右ウィンドウのピーク電力が最大を意味する（最大ウィンドウ＝右ウィンドウ）。
【０１１３】
ＭａｘＷｉｎｄｏｗ＝ｃｅｎｔｅｒは中央ウィンドウのピーク電力が最大を意味する（最大ウィンドウ＝中央ウィンドウ）。
【０１１４】
ＭａｘＷｉｎｄｏｗ＝ｌｅｆｔは左ウィンドウのピーク電力が最大を意味する（最大ウィンドウ＝左ウィンドウ）。
【０１１５】
例えば周波数オフセットが＋１１００Ｈｚの場合、上式（８）のように、リファレンスシンボル間の相関値Ｒの位相ａｒｇＲ＝−０．９π［ｒａｄｉａｎ］となる。この場合、（Ａ３）最大ウィンドウは右ウィンドウとなり、式（１５）より、
2011059068.tif 000022
（１６）
が得られる。
【０１１６】
より一般には、周波数オフセット推定可能範囲は、式（１７）（式（７）と同一）から式（１８）に拡できる。
【０１１７】
2011059068.tif 000023
（１７）
【０１１８】
2011059068.tif 000024
（１８）
【０１１９】
上式（１８）の周波数オフセット推定可能範囲−１／ＴＳ≦Δｆ＜１／ＴＳにおいて、下限−１／ＴＳは上式（１３）におけるａｒｇＲ［ｒａｄｉａｎ］＝−πのときのΔｆ、１／ＴＳは、上式（１５）においてａｒｇＲ［ｒａｄｉａｎ］をπとした場合に対応する。以下に例示的な実施形態について説明する。
【０１２０】
［実施形態］
図１４は、本発明の一実施形態におけるシングルキャリア伝送システムの構成をブロック図で示す。本実施形態におけるシングルキャリア伝送システムは、送信機１及び受信機２から構成される。
【０１２１】
図１５は図１４のシングルキャリア伝送システム送信機のＰＲＡＣＨ送信処理部の構成を示す図である。図１６は、図１４のシングルキャリア伝送システム送信機のＰＵＳＣＨ送信処理部の構成を示す図である。
【０１２２】
図１５を参照すると、ＰＲＡＣＨ送信処理部は、ＰＲＡＣＨプリアンブル信号生成部３１、ＤＦＴ（Ｄｉｓｃｒｅｔｅ  Ｆｏｕｒｉｅｒ  Ｔｒａｎｓｆｏｒｍａｔｉｏｎ）部３２、サブキャリアマッピング部３３、ＩＤＦＴ（Ｉｎｖｅｒｓｅ  Ｄｉｓｃｒｅｔｅ  Ｆｏｕｒｉｅｒ  Ｔｒａｎｓｆｏｒｍａｔｉｏｎ）部３４、サイクリックプレフィックス付加部３５を備えている。
【０１２３】
図１６を参照すると、ＰＵＳＣＨ送信処理部は、ＰＵＳＣＨデータ信号生成部４１、ＰＵＳＣＨリファレンス信号生成部４２、ＤＦＴ部４３、サブキャリアデマッピング部４４、ＩＤＦＴ部４５、サイクリックプレフィックス付加部４６を備えている。なお、図１４、図１５に示したブロック構成は、一般的なシングルキャリア伝送システム送信機の構成の一例を示したものであり、必ずしもこのような構成に限るものではない。ＰＵＳＣＨ送信時の動作は次の通りである。
【０１２４】
ＰＵＳＣＨデータ信号生成部４１、ＰＵＳＣＨリファレンス信号生成部４２において、それぞれ送信データ、送信リファレンスシンボルが生成され、それらが図３に示したサブフレームフォーマットにしたがって時分割多重された後、ＤＦＴ部４３においてＤＦＴが施される。ＤＦＴ後の各周波数成分は、サブキャリアデマッピング部４４で各ユーザに割り当てられたサブキャリアにマッピングされ、その後、ＩＤＦＴ部４５においてＩＤＦＴが施される。最後にサイクリックプレフィックス付加部４６において、ＩＤＦＴ後信号にサイクリックプレフィックスが付加され、送信される。
【０１２５】
また、ＰＲＡＣＨの場合、プリアンブル信号生成部３１においてプリアンブル信号が生成され、ＤＦＴ部３２において生成された信号に対しＤＦＴが施される。以降の処理は、ＰＵＳＣＨ送信の場合と同様である。
【０１２６】
次に、本発明の実施形態におけるシングルキャリア伝送システムの受信機の構成を説明する。図１７は、図１５のシングルキャリア伝送システム受信機（ＰＲＡＣＨ受信処理部）の構成を示す図である。図１８は、図１５のシングルキャリア伝送システム受信機（ＰＵＳＣＨ受信処理部）の構成を示す図である。
【０１２７】
図１７を参照すると、ＰＲＡＣＨ受信の場合、受信機（ＰＲＡＣＨ受信処理部）は、サイクリックプレフィックス除去部１１、ＤＦＴ部１２、サブキャリアデマッピング部１３、プリアンブル信号乗算部１４、ＩＤＦＴ部１５、最大パス検出部１６Ｒ、１６Ｃ、１６Ｌ、最大パスウィンドウ選択部１７を備えている。本実施形態においては、図４の構成に対して、最大パスウィンドウ選択部１７が追加されている。
【０１２８】
また、図１８を参照すると、ＰＵＳＣＨ受信の場合、受信機（ＰＵＳＣＨ受信処理部）は、サイクリックプレフィックス除去部２１、ＤＦＴ部２２−１、２２−２、サブキャリアデマッピング部２３−１、２３−２、リファレンス信号乗算部２４、チャネル推定部２５、周波数オフセット推定部２６Ａ、データ等化部２７、復調部２８から構成される。
【０１２９】
本実施形態においては、周波数オフセット推定部２６Ａの入力データに、ＰＲＡＣＨ受信からの最大パスウィンドウ選択情報が追加されている点が図５の構成と相違している。なお、図１７、図１８は、あくまでも、本発明の実施形態の一例を例示したものであり、必ずしもこのような構成に限るものではないことは勿論である。
【０１３０】
ＰＲＡＣＨ受信の場合、サイクリックプレフィックス除去部１１においてＰＲＡＣＨ受信信号からサイクリックプレフィックスが除去され、次にサイクリックプレフィックス除去された信号に対しＤＦＴ部１２においてＤＦＴが施され、ＤＦＴ後信号に対しサブキャリアデマッピング部１３においてサブキャリアデマッピングが行われ、指定したランダムアクセス用周波数リソースに該当する信号が取り出される。
【０１３１】
サブキャリアデマッピング後の信号は、プリアンブル信号乗算部１４において送信プリアンブル信号の複素共役と乗算される。
【０１３２】
乗算後のデータに対して、ＩＤＦＴ部１５でＩＤＦＴが行なわれ、最大パス検出部１６Ｒ、１６Ｃ、１６Ｌにおいて３つ（中央、右、左）のウィンドウそれぞれの最大パスが検出され、次段の最大パスウィンドウ選択部１７において３つの各ウィンドウの最大パスパワーから、最大のパワーを有するウィンドウを選択する（詳細は後述）。
【０１３３】
ＰＵＳＣＨ受信の場合、サイクリックプレフィックス除去部２１においてＰＵＳＣＨ受信信号からサイクリックプレフィックスが除去され、データ信号とリファレンスシンボルに分割される。
【０１３４】
次に、受信データ信号、受信リファレンスシンボルはに、ＤＦＴ部２２−１、２２−２においてそれぞれＤＦＴが施され、ＤＦＴ後の信号が、それぞれサブキャリアデマッピング部２３−１、２３−２においてサブキャリアデマッピングされ、当該ユーザに割り当てられた周波数領域の信号が取り出される。
【０１３５】
サブキャリアデマッピングされたリファレンスシンボルは、リファレンス信号乗算部２４において送信リファレンスシンボルの複素共役と乗算され、その後、チャネル推定部２５において、チャネル推定値を得る。
【０１３６】
得られたチャネル推定値、及び、ＰＲＡＣＨ受信信号から得られた最大パスウィンドウ情報を用いて、周波数オフセット推定部２６Ａにおいて、周波数オフセット量が推定される（詳細は後述する）。
【０１３７】
次に、得られたチャネル推定値とサブキャリアデマッピング後データ信号がデータ等化部２７に入力され、データ信号の周波数領域等化が実行される。
【０１３８】
最後に、周波数領域等化された信号が、復調部２８において時間領域信号に変換され、更に推定した周波数オフセット量を用いて周波数オフセット補償が行われる。
【０１３９】
本発明の実施形態におけるＰＲＡＣＨの最大パス検出部１６Ｒ、１６Ｃ、１６Ｌ、及び最大パスウィンドウ選択部１７の詳細を説明する。
【０１４０】
まず、ＰＲＡＣＨ受信処理部において、ＤＦＴ出力データｐ（ｎ）（ｎ＝０、１、２、…、Ｎｚｃ−１）が３つの（中央ウィンドウ、右ウィンドウ、左ウィンドウ用）最大パス検出部１６Ｒ、１６Ｃ、１６Ｌに入力される。
【０１４１】
入力されたデータｐ（ｋ）（ｋ＝０、１、…、Ｎｚｃ−１）は、次式（１９）でサンプル毎の電力Ｐ（ｋ）（ｋ＝０、１、…、Ｎｚｃ−１）が算出される。
【０１４２】
2011059068.tif 000025
（１９）
【０１４３】
次に、中央ウィンドウ、右ウィンドウ、左ウィンドウの各最大パス検出部１６Ｒ、１６Ｃ、１６Ｌでは、次式（２０）、（２１）、（２２）のように、最大パスのサーチを実行し、各ウィンドウにおける最大パス電力を得る。ここで、中央／右／左の各ウィンドウは、それぞれ、式（２０）、（２１）、（２２）のＷｃｅｎｔｅｒ、Ｗｒｉｇｈｔ、Ｗｌｅｆｔで定義される範囲である。
【０１４４】
（中央ウィンドウ）
2011059068.tif 000026
（２０）
【０１４５】
（右ウィンドウ）
2011059068.tif 000027
（２１）
【０１４６】
（左ウィンドウ）
2011059068.tif 000028
（２２）
【０１４７】
上式（２０）、（２１）、（２２）において、Ｎｓｅａｒｃｈは、パスサーチ幅であり、一般的に次式（２３）で与えられる。但し、必ずしも次式（２３）に限定されるものではない。
【０１４８】
2011059068.tif 000029
（２３）
【０１４９】
式（２３）において、
2011059068.tif 000030
は整数切り上げ操作（演算）を表す。
【０１５０】
Ｒｃｅｌｌはセル半径［ｍ］である。
【０１５１】
３．０×１０８［ｍ／ｓ］は光速である。
【０１５２】
０．８×１０−３［ｓ］はＰＲＡＣＨプリアンブルの時間長である。
【０１５３】
ＮＺＣはプリアンブルサンプル数（＝８３９［ｓａｍｐｌｅ］）を表す。
【０１５４】
例えば、Ｒｃｅｌｌ＝２５［ｋｍ］  （＝２５０００［ｍ］）の場合、パスサーチ幅Ｎｓｅａｒｃｈは次式（２４）のように、１７５［ｓａｍｐｌｅ］と算出される。
【０１５５】
2011059068.tif 000031
（２４）
【０１５６】
上述した方法で得られる中央、右、左の３つのウィンドウからの最大パス電力出力値Ｐｍａｘ、ｃｅｎｔｅｒ、Ｐｍａｘ、ｒｉｇｈｔ、Ｐｍａｘ、ｌｅｆｔが、最大パスウィンドウ選択部１７に入力され、次の基準で最大パスウィンドウＭａｘＷｉｎｄｏｗ（＝ｃｅｎｔｅｒ、ｒｉｇｈｔ、ｌｅｆｔのいずれか）が選択される。
【０１５７】
最大パスウィンドウの選択基準は例えば次式（２５）で与えられる。選択された最大パス情報は、ＰＵＳＣＨの周波数オフセット推定部２６Ａへ入力される。
【０１５８】
2011059068.tif 000032
（２５）
【０１５９】
次にＰＵＳＣＨ受信信号から、チャネル推定部２５において、当該ユーザに割り当てられたサブキャリア毎の複素チャネル推定値
Ｈ（ｓ、ｋ）
（２６）
【０１６０】
ただし、
ｓ（１サブフレーム内のｓｌｏｔ番号）＝０、１．
ｋ（サブキャリア番号）＝０、１、…、Ｎ−１；Ｎはユーザへの割当サブキャリア数）を得、そのデータと共に、当該ユーザのＰＲＡＣＨ受信信号から、上述の方法で得た最大パスウィンドウ情報が、ＰＵＳＣＨ受信機の周波数オフセット推定部２６Ａへ入力される。
【０１６１】
周波数オフセット推定部２６Ａでは、上式（３）で表される複素相関値Ｒを算出する。算出された相関値Ｒと、ＰＲＡＣＨ受信信号から得た最大パスウィンドウ情報（＝ｃｅｎｔｅｒ、ｒｉｇｈｔ、ｌｅｆｔのいずれか）とを組み合わせ、次式（２７）〜（３０）の基準で周波数オフセットを推定する。
【０１６２】
2011059068.tif 000033
（２７）
【０１６３】
2011059068.tif 000034
（２８）
【０１６４】
2011059068.tif 000035
（２９）
【０１６５】
2011059068.tif 000036
（３０）
【０１６６】
上述の手法で算出された周波数オフセット推定値Δｆ［Ｈｚ］は、ＰＵＳＣＨ受信機の復調部２８へ入力され、周波数オフセット補償がなされる。すなわち、復調部２８では、周波数オフセット推定部２６Ａで推定された周波数オフセット量を用いて、関連技術と同様に、時間領域信号に変換された信号に対して、周波数オフセット補償が行われる。時間領域信号に変換された信号に対して行われる周波数オフセット補償は、例えば上式（１）で与えられる。
【０１６７】
次に、最大パスウィンドウ選択基準の式（２５）中のＳ（スケーリング値）（Ｐ’ｍａｘ、ｃｅｎｔｅｒ＝Ｓ×Ｐｍａｘ、ｃｅｎｔｅｒ）の必要性、及び作用効果について説明する。
【０１６８】
上記説明では、簡単のために、干渉（雑音）成分の影響を入れずに議論したが、実際の受信処理においては、必ず何らかの干渉成分が受信信号に加わり、その影響を考慮する必要がある。そこで、干渉（雑音）成分が、本発明に及ぼす影響を考察するため、次の誤り事象Ｅ０、Ｅ１、Ｅ２、Ｅ３を考える。ここに挙げている事象（Ｅ０〜Ｅ３）は全て、ＰＲＡＣＨ受信信号から算出される複素相関値に含まれる干渉成分による最大ウィンドウ情報の選択誤りによって、推定される周波数オフセットが大きくずれる事象を表している。
【０１６９】
Ｅ０：Δｆ≧１０００［Ｈｚ］の条件の下、ＭａｘＷｉｎｄｏｗ≠Ｒｉｇｈｔとなる事象。
【０１７０】
Ｅ１：０［Ｈｚ］≦Δｆ＜１０００［Ｈｚ］の条件の下、ＭａｘＷｉｎｄｏｗ＝Ｌｅｆｔとなる事象。
【０１７１】
Ｅ２：−１０００［Ｈｚ］≦Δｆ＜０［Ｈｚ］の条件の下、ＭａｘＷｉｎｄｏｗ＝Ｒｉｇｈｔとなる事象。
【０１７２】
Ｅ３：Δｆ＜−１０００［Ｈｚ］の条件の下、ＭａｘＷｉｎｄｏｗ≠Ｌｅｆｔとなる事象。
【０１７３】
事象Ｅ０、Ｅ１、Ｅ２、Ｅ３が発生する確率をそれぞれ、Ｐｒ０、Ｐｒ１、Ｐｒ２、Ｐｒ３と定義すると、対称性により、Ｐｒ３＝Ｐｒ０、Ｐｒ２＝Ｐｒ１が成立するので、以降、Ｐｒ０とＰｒ１のみに着目する。
【０１７４】
図１９に、受信Ｓ／Ｎ［ｄＢ］（信号対雑音電力比のデシベル表示）に対する誤り確率Ｐｒ０、Ｐｒ１を示す。なお、図１９において、実線（細線）で結んだ△はＰｒ０（Ｓ＝１）、実線（細線）で結んだ○はＰｒ１（Ｓ＝１）、破線（太線）で結んだ△はＰｒ０（Ｓ＝１．２）、破線（太線）で結んだ○はＰｒ１（Ｓ＝１．２）を表している。
【０１７５】
図１９に示すように、スケーリングＳがない場合（Ｓ＝１と等価）、２つの異なる誤り事象Ｅ０とＥ１の発生頻度（実線のＰｒ０（Ｓ＝１）、Ｐｒ１（Ｓ＝１））が大きく異なり、一方の誤り事象（＝Ｅ１）が支配的となる。つまり、この場合、−１０００Ｈｚ〜１０００Ｈｚの範囲の周波数オフセットに対する最大ウィンドウ（ＭａｘＷｉｎｄｏｗ）の選択を誤る確率が、１０００Ｈｚ以上又は−１０００Ｈｚ以下の範囲の周波数オフセットに対する最大ウィンドウ（ＭａｘＷｉｎｄｏｗ）の選択を誤る確率と比較して、非常に大きくなってしまう。
【０１７６】
これに対し、Ｓ＝１．２と設定した場合、図１９に示すように（破線Ｐｒ０（Ｓ＝１．２）と破線Ｐｒ１（Ｓ＝１．２））、２つの事象の発生頻度が近くなり、補償しようとする全周波数オフセットの範囲内で、２つの誤り事象のバランスが取れる。つまり、ユーザ毎の周波数オフセット量の大きさに依らず、あらゆるユーザに対する最大ウィンドウ（ＭａｘＷｉｎｄｏｗ）の選択誤り発生確率を均一にすることが可能となる。
【０１７７】
なお、図１７のＰＲＡＣＨ受信処理部において、ＩＤＦＴ部１５からの信号（デジタル信号）に基づき最大パスを検出する最大パス検出部１６Ｃ、１６Ｌ、１６Ｒと最大パスウィンドウを選択する最大パスウィンドウ選択部１７の処理、及び、図１８のＰＵＳＣＨ受信処理部における周波数オフセット推定部２６Ａの周波数オフセット推定処理は、コンピュータ上で実行されるプログラム（ソフトウェア処理）によって実現してもよいことは勿論である。
【０１７８】
以上説明したように、本実施形態によれば、以下に記載するような作用効果を奏する。
【０１７９】
周波数オフセット推定を行うために、ＰＵＳＣＨ受信信号から得られるチャネル推定値の相関値に加え、ＰＲＡＣＨ受信信号から得られる最大ウィンドウ情報を組合せているため、周波数オフセット推定可能範囲を、
2011059068.tif 000037
から
2011059068.tif 000038
の範囲に拡大することができる。ここで、ＴＳは１サブフレーム内におけるＰＵＳＣＨの２リファレンスシンボル間の時間幅を表す。
【０１８０】
また、最大ウィンドウ選択部で選択基準にスケーリング値（Ｓ）を導入することにより、ユーザ毎の周波数オフセット量の大きさに依らず、あらゆるユーザに対する、最大ウィンドウの選択誤り発生確率を均一にすることが可能となる。
【０１８１】
なお、上記の特許文献、非特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【０１８２】
１  送信機
２  受信機
１１  サイクリックプレフィックス除去部
１２  ＤＦＴ部
１３  サブキャリアデマッピング部
１４    プリアンブル信号乗算部
１５  ＩＤＦＴ部
１６  最大パス検出部
１６Ｒ  最大パス検出部（右ウィンドウ）
１６Ｃ  最大パス検出部（中央ウィンドウ）
１６Ｌ  最大パス検出部（左ウィンドウ）
１７  最大ウィンドウ選択部
２１  サイクリックプレフィックス除去部
２２、２２−１、２２−２  ＤＦＴ部
２３、２３−１、２３−２  サブキャリアデマッピング部
２４  リファレンス信号乗算部
２５  チャネル推定部
２６、２６Ａ  周波数オフセット推定部
２７  データ等化部
２８  復調部
３１  ＰＲＡＣＨプリアンブル信号生成部
３２  ＤＦＴ部
３３  サブキャリアデマッピング部
３４  ＩＤＦＴ部
３５  サイクリックプレフィックス付加部
４１  ＰＵＳＣＨデータ信号生成部
４２  ＰＵＳＣＨリファレンス信号生成部
４３  ＤＦＴ部
４４  サブキャリアデマッピング部
４５  ＩＤＦＴ部
４６  サイクリックプレフィックス付加部
【図１】
2011059068.tif 000051
【図２】
2011059068.tif 000052
【図３】
2011059068.tif 000053
【図４】
2011059068.tif 000054
【図５】
2011059068.tif 000055
【図６】
2011059068.tif 000056
【図７】
2011059068.tif 000057
【図８】
2011059068.tif 000058
【図９】
2011059068.tif 000059
【図１０】
2011059068.tif 000060
【図１１】
2011059068.tif 000061
【図１２】
2011059068.tif 000062
【図１３】
2011059068.tif 000063
【図１４】
2011059068.tif 000064
【図１５】
2011059068.tif 000065
【図１６】
2011059068.tif 000066
【図１７】
2011059068.tif 000067
【図１８】
2011059068.tif 000068
【図１９】
2011059068.tif 000069
【国際調査報告】
2011059068.tif 000070
2011059068.tif 000071
2011059068.tif 000072
2011059068.tif 000073